(57)【要約】【課題】基板ケースに封止部を必要な個数のみ設けるようにして基板ケース側の封止部の無駄をなくすようにしたパチンコ遊技機を提供する。【解決手段】遊技盤取付枠３の裏面であって遊技動作を制御するための基板ケース２３の取付部位１０に破断したことが容易に認識できる封止手段Ａを付設して基板ケース２３が取着され、前記封止手段Ａは遊技盤取付枠３側に列設される複数の被封止部１４と基板ケース２３側に列設される複数の封止部５５とからなり、前記基板ケース２３側の封止部５５の個数は遊技盤取付枠３側の被封止部１４の個数よりも少なく設定され、かつ、前記基板ケース２３側の各封止部５５は遊技盤取付枠３側の被封止部１４に沿って自在に移動し得るように設けられている。【選択図】図５
2006334320.tif 000002
【特許請求の範囲】
【請求項１】
遊技盤取付枠の裏面であって遊技動作を制御する基板ケースの取付部位に破断したことが容易に認識できる封止手段を付設して前記基板ケースが取着され、前記封止手段は前記遊技盤取付枠側に列設される複数の被封止部と基板ケース側に列設され該各被封止部に封止部材を介して固着し得る複数の封止部とからなるパチンコ遊技機であって、
前記基板ケース側の封止部の個数は前記遊技盤取付枠側の被封止部の個数よりも少なく設定され、かつ、前記基板ケース側の各封止部は前記遊技盤取付枠側の被封止部に沿って自在に移動し得るように設けられていることを特徴とするパチンコ遊技機。
【発明の詳細な説明】
【技術分野】
【０００１】
本発明は、遊技盤取付枠の裏面に遊技動作を制御する基板ケースを破断したことが容易に認識できる封止手段を付設して取着するようにしたパチンコ遊技機に関するものである。
【背景技術】
【０００２】
最近は、遊技盤面に大型の表示装置が装着されると共に該表示装置の表示に合わせて電気的に作動する可動体が設けられるなど遊技性の多様化や遊技領域の拡大が図られている。これに伴い、遊技盤裏面も機構的に複雑化しそれまでの遊技動作を制御するための基板ケースもその設置スペースを確保することが難しくなり、該基板ケースを遊技盤取付枠側に取着するようにしている。
【０００３】
ところで、この種表示装置が使用されているパチンコ遊技機にあっては、取着されている基板ケースを故意に開封し裏ロムや複製された制御基板を付け替えて多くの入賞球を故意に得るという不正行為が後を絶たないのが現状である。更に、基板ケースの開封もさることながら、基板ケース自体を遊技盤取付枠から外して不正処理された基板ケースとそっくり取り替えてしまうといった事態にまで達している。そこで、この対策としては、例えば遊技盤取付枠の裏面であって基板ケースの取付部位に破断したことが容易に認識できる封止手段を付設して前記基板ケースを取着している。該封止手段は、前記遊技盤取付枠側に列設される複数の被封止部と基板ケース側に列設され該各被封止部に封止部材としての封止ネジを介して固着し得る複数の封止部とから構成されている（例えば、特許文献１参照。）。
【特許文献１】特開２００１−２６９４７１号公報（第５−８頁段落００２９、００３７、００４１〜００４６、図１、図４）
【発明の開示】
【発明が解決しようとする課題】
【０００４】
通常、前記基板ケースは遊技盤と一体として交換されるが、遊技盤が頻繁に交換されると、前記遊技盤取付枠側の被封止部の個数がその分多く必要となり、同様に基板ケース側の封止部も前記遊技盤取付枠側の被封止部に対応させて同じ個数の封止部が必要になる。例えば、図１２に示すように遊技盤取付枠１００側の第一封止手段１０１に設けられた複数の被封止部１０２ａ，１０２ｂ…の内、初めの２個の被封止部１０２ａ，１０２ｂが既に使用され切除されている場合に、新たな基板ケース１０３を取着するとき、初めの前記２個の被封止部１０２ａ，１０２ｂは切除されなくなっているので、これと対応する基板ケース１０３側の第二封止手段１０４に設けられた複数の被封止部１０５ａ，１０５ｂ…の内、初めの２個の封止部１０５ａ，１０５ｂは使用されずにそのまま残ってしまう。このようなことでは、本来必要のない封止部１０５ａ，１０５ｂを成形することとなって無駄が生ずることになる。これは、遊技盤取付枠側１００の被封止部１０２ａ，１０２ｂ…と基板ケース１０３側の封止部１０５ａ，１０５ｂ…との個数を同一として設定するからである。
【０００５】
そこで、本発明は上記課題を解決すべくなされたもので、基板ケースに封止部を必要な個数のみ設けるようにして基板ケース側の封止部の無駄をなくすようにしたパチンコ遊技機を提供することを目的とするものである。
【課題を解決するための手段】
【０００６】
かかる目的を達成するため本発明に係るパチンコ遊技機は、遊技盤取付枠の裏面であって遊技動作を制御するための基板ケースの取付部位に破断したことが容易に認識できる封止手段を付設して前記基板ケースが取着され、前記封止手段は前記遊技盤取付枠側に列設される複数の被封止部と基板ケース側に列設され該各被封止部に封止部材を介して固着し得る複数の封止部とからなるパチンコ遊技機であって、前記基板ケース側の封止部の個数は遊技盤取付枠側の被封止部の個数よりも少なく設定され、かつ、前記基板ケース側の各封止部は前記遊技盤取付枠側の被封止部に沿って自在に移動し得るように設けられている構成からなる。
【発明の効果】
【０００７】
本発明に係るパチンコ遊技機は、基板ケース側の封止部の個数が遊技盤取付枠側の被封止部の個数よりも少なく設定され、かつ、前記基板ケース側の各封止部が遊技盤取付枠側の被封止部に沿って自在に移動し得るようにしたので、遊技盤取付枠側の被封止部であって破断された箇所を避けることができるようになり、基板ケース側の封止部に無駄がなくなるという効果が有る。
【発明を実施するための最良の形態】
【０００８】
以下、本発明に係るパチンコ遊技機の実施の形態を図面に基き説明する。図１は本発明が適用されるパチンコ遊技機の裏面図である。パチンコ遊技機Ｐは、縦長方形枠状に成形される外枠１を有し、該外枠１に遊技盤２を設置する合成樹脂製の遊技盤取付枠３が一側を支点にして開閉自在に軸着される。遊技盤取付枠３のほぼ中央部に遊技盤２に装着される表示装置４の後方へ突出する部位が臨む略方形状の開口５が開設されている。
【０００９】
前記遊技盤取付枠３の裏面には、開口５の上方に位置して遊技球を貯留する球タンク６およびその下方に位置して該球タンク６からの遊技球を下方へ流下させるタンクレール７がそれぞれ装着される。タンクレール７の流下端には、開口５の側方に位置して球供給通路８が装着され、その下端に該球供給通路８から供給される遊技球を所定量ずつパチンコ遊技機Ｐの前側へ払い出す球払出装置９が配置されている。そして、前記開口５の下方に後記する基板ケース２３を取着するための平坦な取付部位１０が成形される。
【００１０】
前記取付部位１０には、図２に示すように前記開口５の下縁に沿って基板ケース２３を遊技盤取付枠３に封止するための基板ケース用の封止手段Ａを構成する水平な一直線状の第一封止手段１１が一体に設けられている。また、取付部位１０の両側部に前記第一封止手段１１と直交する線上に位置して基板ケース２３を取付けるときにガイドするガイド部１２が一側に上下２個、他側に１個設けられる。更に、取付部位１０の下部であって他の基板ケースＫの上面に基板ケース２３を保持するストッパー２２が設けられる。このストッパー２２は、上側を除いた左右側と下側とに切り込みが設けられ、図３に示すように上側に爪部２２ａが突設されている。
【００１１】
前記第一封止手段１１は、図４に示すように水平杆部１３ａの下面に複数の垂直杆部１３ｂが該水平杆部１３ａに沿って等間隔に突設して成形される。前記各水平杆部１３ａと両垂直杆部１３ｂ，１３ｂとで囲われる部位にそれぞれ被封止部１４が設けられる。各被封止部１４は、水平杆部１３ａから後方へ突出する支持杆部１３ｃに略円筒状の接合筒部１５が一体に設けられ、該接合筒部１５の底壁１５ａにピン孔１６が貫設されている。また、接合筒部１５の支持杆部１３ｃと対向する側に前方へ突出する一対の鉤杆部１７，１７が設けられている。これら鉤杆部１７，１７は遊技盤取付枠３に開設された係止孔１８に係合して両鉤杆部１７，１７と接合筒部１５とにより遊技盤取付枠３を挟むようにしている。更に、垂直杆部１３ｂの裏面に設けられた複数のビス孔１９に遊技盤取付枠３に開設されたビス挿通孔２０を介してビス２１を螺締することにより第一封止手段１１が遊技盤取付枠３にしっかりと取着される。
【００１２】
図５は基板ケース２３の斜視図、図６は同分解斜視図である。基板ケース２３は、遊技盤取付枠３側に配置される方形状の台板２４と該台板２４の前面に取着されゲームの遊技動作を制御する制御基板２５と該制御基板の２５の前面を覆う箱状のケースカバー２６とから構成される。そして、その一側に不正行為をするべくケースカバー２６を無断で開封したとき破断したことが容易に認識できるケースカバー用の封印手段Ｂが設けられている。
【００１３】
前記台板２４は、合成樹脂製であって一側縁２４ａを除いた周端縁に外側壁２７が設けられると共に他側縁２４ｂの外側壁２７はその中央部分が切除されている。また、外側壁２７の内側に該外側壁２７より高さが低く、収納された制御基板２５の裏面を支持する内側壁２８が周設されている。上下縁部における外側壁２７と内側壁２８との間であって両端部には、後記するケースカバー２６側のフック４４が係合する係合部２９が設けられる。そして、前記外側壁２７を切除した一側縁２４ａに前記遊技盤取付枠３の取付部位１０に設けられたガイド部１２，１２にスライドして係合する突片３０が設けられる。一方、前記他側縁２４ｂには外側壁２７の切除部に対応してケースカバー用の封印手段Ｂを構成する第一封印手段３１が設けられている。
【００１４】
第一封印手段３１は、図６、図８（イ）に示すように一対の保持枠３２にそれぞれピン孔３３が貫設された筒状の被封印部３４が二個ずつ設けられる。第一封印手段３１の一側の外側壁２７に前記ガイド部１２に係合する突片３０が設けられる。一方、第一封印手段３１の他側の外側壁２７には取付片３５が突設され、該取付片３５に後記する封印部４８に嵌入して封印するための合成樹脂製の蓋ピン３６が数本立設されている。各蓋ピン３６は、その基端部から折り曲げて切離すことができるようになっている。
【００１５】
制御基板２５は、台板２４より一回り小さい方形状に成形され、基板２５ａの表面に各種電子部品３８が配置される。また、基板２５ａの隅角部には収納される制御基板２５のガタツキをなくすための小孔３９が開設されている。
【００１６】
ケースカバー２６は、合成樹脂製であって台板２４とほぼ同じ大きさを有し、一側縁に前記制御基板２５の基板２５ａの表面に重合する平坦部４１が設けられ、該平坦部４１に制御基板２５のコネクタ３８ａなど外部との接続口が臨む通孔４２が開設される。また、平坦部４１の外側縁とこれと対向して反対側の外側縁に位置する各ケース外壁４３，４３は、ケースカバー２６を台板２４に被せたとき台板２４の外側壁２７と内側壁２８との間に介在するようになっており、その適宜位置にケースカバー２６を摺動させて台板２４の各係合部２９に係合するフック４４が設けられている。ただ、平坦部４１側のケース外壁４３には、後記する第二封止手段５３を取着するため該ケース外壁４３に沿って所定長さ切り欠いたレール部４５が設けられている。
【００１７】
また、ケースカバー２６の外側であって前記台板２４の第一封印手段３１と対応する一側に、該第一封印手段３１に固着される第二封印手段４６が設けられる。第二封印手段４６はケースカバー２６の一側から外側へ突出する取付板４７に前記各被封印部３４と対向位置して封印部４８が設けられる。各封印部４８は、図８（イ）に示すように前記被封印部３４に被さるように筒状に成形されると共に被封印部３４の上面に当接する内部壁４９に前記ピン孔３３と同径のピン孔５０が同軸上に開設されている。各封印部４８のピン孔５０には、あらかじめ金属製の封印ピン５１が仮に挿通してある。ケースカバー２６の内側には、制御基板２５の基板２５ａに開設した小孔３９に対応して位置決め突起５２が突設されている。
【００１８】
第一封止手段１１と対をなす第二封止手段５３は、図９に示すように合成樹脂製であって横長枠５４に囲われるようにして前記第一封止手段１１の各被封止部１４に対応位置して複数個（４個）の封止部５５が一直線状に並置されている。各封止部５５は、横長枠５４の内側面に一体に設けられた支持杆部５６に保持され、前記被封止部１４に被さる小径筒部６５ａと該小径筒部６５ａと連通する大径筒部６５ｂとからなり、小径筒部６５ａに被封止部１４のピン孔１６と同じ内径を有し互いに連通するピン孔５７が同軸上に開設されている。
【００１９】
前記横長枠５４であって前記各支持杆部５６を設けた側の外側に断面略Ｕ字型の係合板部５８が一体に設けられる。この係合板部５８は前記レール部４５に嵌って第二封止手段５３が該レール部４５に沿って自在に移動できるようになっている。図６に示すように前記ケースカバー２６のケース外壁４３が断面Ｕ字型の係合板部５８内に嵌入するので、第二封止手段５３を外から取り外すことはできないことになる。また、前記基板ケース２３側、すなわち第二封止手段５３側の封止部５５の個数は遊技盤取付枠３側、すなわち第一封止手段１１側の被封止部１４の個数よりも少なく設定される。
【００２０】
本発明に係るパチンコ遊技機Ｐは上記構成からなり、まず基板ケース２３を組立てる。すなわち、ケースカバー２６の内側であってケース外壁４３内に電子部品３８が通孔４２に臨むようにして配置し、図７に示すように各小孔３９に各位置決め突起５２を挿通する。この状態で、ケースカバー２６に制御基板２５を挟むようにして台板２４を重ねる。この際、台板２４の対向する両側に位置する外側壁２７と内側壁２８との間にケースカバー２６の両ケース外壁４３を介在させ、そのままケースカバー２６を一方へ摺動させる。そして、各フック４４を係合部２９に係合させる。このとき、第一封印手段３１と第二封印手段４６とが合致する。また、前記ケースカバー２６のケース外壁４３に係合板部５８の凹溝を嵌め込み、第二封止手段５３をレール部４５に移動自在に装着しておく。
【００２１】
前記合致したケースカバー用の封印手段Ｂにおいて、例えば一端の封印部４８（４８ａ）内の封印ピン５１を被封印部３４（３４ａ）のピン孔３３に打ち込む。更に、図８（ロ）に示すようにその上から蓋ピン３６を打ち込み、その周囲を接着剤で封止する。これにより、制御基板２５がガタツクことなく固定される。また、前記一対の被封印部３４と封印部４８とを破壊しない限りケースカバー２６が開けれないことになる。
【００２２】
このようにして組み付けられた基盤ケース２３は第二封止手段５３を上側にして取付部位１０に配置し、各突片３０を各ガイド部１２に嵌め込んでストッパー２２を押えつつ取付部位１０に沿って上方へスライドさせる。そして、第二封止手段５３と第一封止手段１１とを合致させる。また、これに伴い第二封止手段５３を移動させその封止部５５を第一封止手段１１側の使用されてない端の被封止部１４に合致させておく。また、この際、取付部位１０下部のストッパー２２がその押圧から開放されて爪部２２ａを基板ケース２３の下側の外側縁に係合させる。これにより、基板ケース２３が脱落することになくしっかりと固定される。
【００２３】
前記基板ケース用の封止手段Ａにあっては、例えば図１０に示すように第二封止手段５３の封止部５５の内、端の封止部５５ａに被封止部１４ａのピン孔１６に達するまで封止部材である金属製の封止ピン５９を打ち込む。更に、その上から蓋ピン３６を打ち込んでその周囲を接着剤により封止する。これにより、一対の被封止部１４ａと封止部５５ａを破壊しない限り遊技盤取付枠３から基板ケース２３を取り外すことはできないことになる。前記封止ピン５９は、他に、例えば封止ネジであっても良い。
【００２４】
よって、不正行為を行なうためにケースカバー用の封印手段Ｂを破壊して取着されている基板ケース２３のケースカバー２６を故意に開封すれば、その破壊された痕跡が明瞭に残るので裏ロムや複製された制御基板を付け替えて多くの入賞球を故意に得るという不正行為が防止される。また、基板ケース用の封止手段Ａを破壊して基板ケース２３自体を不正処理された基板ケースとそっくり取り替える場合も、その破壊された痕跡が明瞭に残るので、基板ケース２３を故意に交換するという不正行為も防止される。
【００２５】
一方、営業上ホール側が遊技盤２を交換する場合を説明すると、パチンコ遊技機Ｐはそのまま使用される。そこで、図１１に示すように遊技盤取付枠３にそれまで取着されていた基板ケース２３は、基板ケース用の封止手段Ａの初めの一対の被封止部１４ａと封止部５５ａを支持杆部１３ｃおよび支持杆部５６からニッパーなどの切断工具により切断して取り外す。そして、新たな遊技盤２を設置する場合、新しい基板ケース２３には第二封止手段５３に初めから所定の個数（４個）の封止部５５が並設されているので、第二封止手段５３をレール部４５に沿って移動させ、その内、初めの封止部５５ａを第一封止手段１１の第二番目の被封止部１４ｂに固着させる。
【００２６】
仮に、前記新しい基板ケース２３の第二封止手段５３に第一封止手段１１の被封止部１４の個数と同じ個数の封止部５５が設けられ、かつ第二封止手段５３が移動できずに固定されているとすると、該各封止部５５の内、初めの封止部５５ａは対応する被封止部１４ａが既に切除されていることから、使用されないまま終ることになる。
【００２７】
以上のように、本発明に係るパチンコ遊技機Ｐは、基板ケース２３側の封止部５５の個数が遊技盤取付枠３側の被封止部１４の個数よりも少なく設定され、かつ、前記基板ケース２３側の各封止部５５が前記遊技盤取付枠３側の被封止部１４に沿って自在に移動し得るようにしたので、基板ケース２３の封止部５５に無駄がなくなる。
【００２８】
なお、基板ケース用の封止手段Ａは各被封止部１４や各封止部５５をそれぞれ水平杆部１３ａ、横長枠５４に一体に設けるようにしたが、一個ずつ分離しても良い。また、基板ケース２３の取着方法は、前記実施の形態に説明した構成に限られるものではなく、他の手段を用いても良いこと勿論である。
【図面の簡単な説明】
【００２９】
【図１】本発明が適用されるパチンコ遊技機の裏面図。
【図２】遊技盤取付枠側の取付部位の拡大斜視図。
【図３】同ストッパー部位の側面断面図。
【図４】第一封止手段の側面断面図。
【図５】基板ケースの斜視図。
【図６】同分解斜視図。
【図７】基板ケースの一部の横断面図。
【図８】（イ）はケースカバー用の封印手段の使用前の断面図、（ロ）は同使用後の断面図。
【図９】被封止部に封止部を固着させる状態を半断面にして示す分解斜視図。
【図１０】基板ケース用の封止手段の封止状態を示す断面図。
【図１１】同開封した状態の断面図。
【図１２】従来の第一封止手段と第二封止手段との関係を示す説明図。
【符号の説明】
【００３０】
３          遊技盤取付枠
１０        取付部位
１１        封止手段（第一封止手段）
１４        被封止部
２３        基板ケース
５３        封止手段（第二封止手段）
５５        封止部
Ｐ          パチンコ遊技機
【図１】
2006334320.tif 000003
【図２】
2006334320.tif 000004
【図３】
2006334320.tif 000005
【図４】
2006334320.tif 000006
【図５】
2006334320.tif 000007
【図６】
2006334320.tif 000008
【図７】
2006334320.tif 000009
【図８】
2006334320.tif 000010
【図９】
2006334320.tif 000011
【図１０】
2006334320.tif 000012
【図１１】
2006334320.tif 000013
【図１２】
2006334320.tif 000014